(57)【特許請求の範囲】
【請求項１】
病室内の各病床に設けられた天井スピーカ（１ａ）、天井マイク（３ａ）、呼出ボタン（２ａ）と、前記呼出ボタンの呼出を検出し、制御機（５ａ）を介してナースコール親機（６ａ）に呼出を通報するアダプタ（４ａ）を備えたナースコール装置であって、
前記アダプタは、前記天井マイクから入力される病室内の音量レベルを判別する音量レベル判別回路（４５ａ）と、前記音量レベル判別回路で判別された音量レベルが通常の会話時の所定のレベルより高いとき、前記ナースコール親機と病室間との通話路を形成するように制御を行うＣＰＵ（４３ａ）とを備えたことを特徴とするナースコール装置。
【発明の詳細な説明】
【０００１】
【発明の属する技術分野】
この発明はナースコール装置に関し、天井マイクから入力される病室内の音量レベルが高い場合、ナースコール親機と病室間の通話路が形成され、病室内の状態が確認できるナースコール装置に係わる。
【０００２】
【従来の技術】
従来、この種のナースコール装置としては、図２に示すものがあった。
【０００３】
このナースコール装置は、病室内の各病床に設けられた天井スピーカ１ｂ、呼出ボタン２ｂ、天井マイク３ｂと、病室毎に設置され呼出ボタン２ｂを検出するアダプタ４ｂと、アダプタ４ｂからの呼出を受信する制御機５ｂと、制御機５ｂによって制御され呼出が通報されるナースコール親機６ｂとで構成される。
【０００４】
アダプタ４ｂは呼出ボタン２ｂの押圧操作による呼出を検出する呼出検出回路４２ｂと天井マイク３ｂからの音声信号を増幅する天井マイクアンプ４４ｂと制御機５ｂからの音声信号を増幅する天井スピーカアンプ４１ｂと呼出検出回路４２ｂで呼出を検出すると天井マイクアンプ４４ｂ、天井スピーカアンプ４１ｂを駆動するＣＰＵ４３ｂとを有する。
【０００５】
ナースコール親機６ｂはマイク６６ｂからの音声信号を増幅するマイクアンプ６７ｂと制御機５ｂからの音声信号を増幅するスピーカアンプ６２ｂと呼出があると点滅する呼出表示部６３ｂと病室と通話をしたい時に押す選局ボタン６４ｂと通話を終了する時に押す終話ボタン６８ｂと選局ボタン６４ｂで選局するとマイクアンプ６７ｂ、スピーカアンプ６２ｂを駆動するＣＰＵ６５ｂとを有する。
【０００６】
看護する人が病室内の患者の様態を確認したい場合、ナースコール親機６ｂから病室に通話できるようにナースコール親機６ｂの病室選局ボタン６４ｂを押すと、ＣＰＵ６５ｂが病室選局の情報を検出し、呼び出す病室の場所を示す呼出表示部６３ｂを表示させ、スピーカアンプ６２ｂ、マイクアンプ６７ｂを駆動させ、制御機５ｂに病室選局データを送出する。
【０００７】
制御機５ｂはナースコール親機６ｂからの病室選局データを受け、アダプタ４ｂに情報を送出する。
【０００８】
アダプタ４ｂは、制御機５ｂからのデータをＣＰＵ４３ｂで受け取り、スピーカアンプ４１ｂ、マイクアンプ４４ｂを駆動させる。
【０００９】
これにより、ナースコール親機６ｂと病室間の通話路が開き、病室内の音声がマイク３ｂ、マイクアンプ４４ｂ、制御機５ｂ、スピーカアンプ６２ｂを経て、スピーカ６１ｂから聞こえるので、ナースコール親機６ｂから病室内の状態、患者の様態が音声によって確認できる。確認後、ナースコール親機６ｂの終話ボタン６８ｂを押すと、通話が終了する。
【００１０】
【発明が解決しようとする課題】
このようなナースコールシステムでは、看護する人が病室内の患者の様態を確認したい場合、ナースコール親機６ｂの病室選局ボタン６４ｂを押して、ナースコール親機６ｂ、制御機５ｂ、アダプタ４ｂへ信号が送られ、ナースコール親機６ｂと病室内の通話が可能となるが、病室選局ボタン６４ｂを押さないとデータは制御機５ｂ、アダプタ４ｂへと送られないので、ナースコール親機６ｂと病室間は通話路が開かず、ナースコール親機６ｂからは、病室内の音を聞くことができない。このため、看護する人が、ナースコール親機６ｂから離れていると、病室選局ボタン６４ｂを押すことができず、精神的に不安定な患者が異常状態をきたし、病室内で騒いでいても、病室内の音を聞くことができないという問題点がある。
【００１１】
本発明は、上記のようなナースコール装置の難点を除去するためになされたもので、天井マイクから入力される病室内の音量レベルが高い場合、ナースコール親機６ｂと病室間の通話路が形成され、ナースコール親機６ｂによって、病室内の状態が確認できるナースコール装置を提供することを目的とする。
【００１２】
【課題を解決するための手段】
上記の目的を達成するため、本発明によるナースコール装置は、病室内の各病床に設けられた天井スピーカ、天井マイク、呼出ボタンと、呼出ボタンの呼出を検出し、制御機を介してナースコール親機に呼出を通報するアダプタを備えたナースコール装置であって、アダプタは、天井マイクから入力される病室内の音量レベルを判別する音量レベル判別回路と、音量レベル判別回路で判別された音量レベルが通常の会話時の所定のレベルより高いとき、ナースコール親機と病室間との通話路を形成するように制御を行うＣＰＵとを備える。
【００１３】
このナースコール装置よれば、天井マイクから入力される病室内の音量レベルが高い場合、ナースコール親機と病室間の通話路が形成され、ナースコール親機に病室内の音声が聞こえ、病室内の状態が確認できる。
【００１４】
【発明の実施の形態】
以下、本発明のナースコール装置における実施の形態例を図面にしたがって説明する。
【００１５】
図１に示すように、本発明のナースコール装置は、病室内の各病床に設けられた天井スピーカ１ａ、呼出ボタン２ａ、天井マイク３ａと、病室毎に設置され呼出ボタン２ａを検出するアダプタ４ａと、アダプタ４ａからの呼出を受信する制御機５ａと、制御機５ａによって制御され呼出が通報されるナースコール親機６ａを有する。
【００１６】
アダプタ４ａは呼出ボタン２ａの押圧操作による呼出を検出する呼出検出回路４２ａと天井マイク３ａからの音声信号を増幅する天井マイクアンプ４４ａと制御機５ａからの音声信号を増幅する天井スピーカアンプ４１ａと呼出検出回路４２ａで呼出を検出すると天井マイクアンプ４４ａ、天井スピーカアンプ４１ａを駆動するＣＰＵ４３ａとを有する。
【００１７】
ナースコール親機６ａはマイク６６ａからの音声信号を増幅するマイクアンプ６７ａと制御機５ａからの音声信号を増幅するスピーカアンプ６２ａと呼出があると点滅する呼出表示部６３ａと病室と通話をしたい時に押す選局ボタン６４ａと通話を終了する時に押す終話ボタン６８ａと選局ボタン６４ａで選局するとマイクアンプ６７ａ、スピーカアンプ６２ａを駆動するＣＰＵ６５ａとを有する。
【００１８】
精神的に不安定な患者が異常状態をきたし、病室内で大声などを出した場合、その音声が、天井マイク３ａに入力され、天井マイクアンプ４４ａで増幅され、音量レベル判別回路４５ａに入力される。あるレベル以上であると、音量レベル判別回路４５ａからＣＰＵ４３ａに異常信号が送信される。ＣＰＵ４３ａは、天井スピーカアンプ４１ａを駆動させ、制御機５ａ、ナースコール親機６ａへと異常信号を送る。親機６ａのＣＰＵ６５ａは、異常信号を受け取り、スピーカーアンプ６２ｂ、マイクアンプ６７ｂを駆動させ、呼出表示部６３ａを表示させる。
【００１９】
そして、病室内とナースコール親機６ａ間の通話路が形成され、病室内の音声が天井マイク３ａ、天井マイクアンプ４４ａ、音声レベル判別回路４５ａ、制御機５ａ、スピーカアンプ６２ａを経て、ナースコール親機６ａのスピーカ６１ａから聞こえ、病室内の患者の状態が確認でき、呼出病室の場所を示す呼出表示部６３ａが点滅することで病室の場所が確認できる。終話ボタン６８ａを押すと、通話が終了する。
【００２０】
【発明の効果】
以上の説明から明らかなように、本発明によるナースコール装置によれば、看護する人が、親機から離れていても、精神的に不安定な患者が異常状態になっている病室内の音を聞くことによって、病室内の状態が確認でき、その病室の場所を呼出表示部で見ることで、患者への対応がより早くできる。
【図面の簡単な説明】
【図１】本発明によるナースコール装置の一実施例を示すブロック図。
【図２】従来のナースコール装置のブロック図。
【符号の説明】
１ａ・・天井スピーカ
３ａ・・天井マイク
４ａ・・アダプタ
５ａ・・制御機
６ａ・・親機
４５ａ・・音量レベル判別回路
４３ａ・・ＣＰＵ
【図１】
0004162812.tif 000002
【図２】
0004162812.tif 000003